(57)【要約】【課題】オブラートに包んだ粉末を飲みやすく、かつ、胃や腸に確実に届けことのできるオブラート包装食品およびその製造方法を提供する。【解決手段】粉末状にされた食物あるいは薬剤と、その粉末２を包み込むオブラートのシート３とからなり、そのシート３が、下側シート４と、上側シート５とを備えており、それら上側シートと下側シートの間に、前記粉末が包み込まれ、前記上側シートと下側シートのそれぞれの側縁部６、７が接合され閉じられている、オブラート包装食品１。【選択図】図１
2014046030.tif 000002
【特許請求の範囲】
【請求項１】
オブラートで成形される、下側シートおよび上側シートと、
それら上側シートと下側シートの間に配置される、食物あるいは薬剤の粉末とからなり、
前記上側シートと下側シートのそれぞれの側縁部が接合され閉じられ、前記粉末が包み込まれている、オブラート包装食品。
【請求項２】
前記上側シートおよび下側シートのそれぞれが、複数枚の積層シートからなる請求項１記載のオブラート包装食品。
【請求項３】
前記上側シートおよび下側シートの少なくとも一方が、前記積層シートの側縁部を予め接合している請求項２記載のオブラート包装食品。
【請求項４】
最外層のシートに味やにおいが付けられている請求項２または３記載のオブラート包装食品。
【請求項５】
請求項１〜４のいずれかに記載のオブラート包装食品の製造方法であって、
前記上側シートおよび下側シートとされる前の、それぞれ上下のオブラートのシートを用意し、それら上下のオブラートのシートの間に前記粉末を挟む第１工程と、
前記上下のオブラートのシートの前記側縁部となるべき部位を、上下の型により狭圧する第２工程と、
上下の型からはみ出しているリング状の余分なシートに水分を含ませる第３工程と、
前記余分なシートを除去する第４工程Ｓ４と、
前記側縁部となるべき部位を乾燥させる第５工程とを備えているオブラート包装食品の製造方法。
【請求項６】
前記第４工程および第５工程が、エアブローにより余分なシートを吹き飛ばすと共に、エアブローにより乾燥を行うものである請求項５記載のオブラート包装食品の製造方法。
【発明の詳細な説明】
【技術分野】
【０００１】
本発明はオブラートで健康食品などの粉末を包装した食品とその製造方法に関する。さらに詳しくは薬剤および食物の粉末をオブラートで包み込んだ食品とその製造方法に関する。
【背景技術】
【０００２】
粉薬をオブラートに包んで飲み込むことは、従来から一般に行われている。これは主に薬の味が苦手で粉末では飲めない人（子供など）が、薬を飲みやすくするために行っているものである。しかしシート状のオブラートに薬を包む際に、薬剤などが漏れないように周縁部を集めて捩じった部位の、いわば余分なオブラートが嵩張って飲みにくいことがある。またオブラートはそのまま口に入れると、口の中に貼り付いて破れ、中身の薬が口の中に流出することがある。この貼り付きを防止する方法として、例えば水オブラート法が知られている。この方法は、薬剤をオブラートに包み、そのオブラートごと水に浸し、それを水と一緒にツルっと飲み込むことにより、貼り付きを防止する方法である。
【０００３】
特許文献１には、カプセル状に形成したオブラートと、そのカプセル状のオブラートにじょうごを用いて薬をつめ込む装置が開示されている。
特許文献２、３にはオブラートシートを皿状に成形すること、それにより粉末が落ちにくいようにしたものが開示されている。
【０００４】
また特許文献４には、オブラート茶が開示されている。そのオブラート茶は、煎茶の副産物の「こな茶」を、すりつぶして粉末にし、その粉末をオブラートのシートに塗して接着したあと、乾燥したものである。
【先行技術文献】
【特許文献】
【０００５】
【特許文献１】特開平１１−２５３５３２号公報
【特許文献２】特開平９−１６４１８３号公報
【特許文献３】特開平８−１４１０５２号公報
【特許文献４】実開平５−２９３９３号公報
【発明の概要】
【発明が解決しようとする課題】
【０００６】
オブラートで包んで捩る方法では、余分なオブラート（捩った部位）を飲み込む必要がある。またそのような余分な部位がのどにつかえると不快である。
さらに水オブラート法では、水に浸した時にオブラートが破れる恐れがあるため、多量の粉末をオブラートに包むことはできない。また多量に包んだまま口に含むと、口の中でオブラートが破ける可能性がある。
特許文献１のカプセルは、カプセルの形態であるので、飲みにくい。
特許文献２、３の皿状のオブラートは、飲む直前に包むものであり、包んだ状態で保管できない。
【０００７】
そこで本発明は、オブラートに包んだ粉末を飲みやすく、かつ、胃や腸に確実に届けることのできるオブラート包装食品およびその製造方法を提供することを課題とする。
【課題を解決するための手段】
【０００８】
本発明のオブラート包装食品（請求項１）は、食物あるいは薬剤の粉末と、その粉末を
包み込むオブラートのシートとからなり、そのシートが、下側シートと、上側シートとを備えており、それら上側シートと下側シートの間に、前記粉末が包み込まれ、前記上側シートと下側シートのそれぞれの側縁部が接合され閉じられていることを特徴とする。
【０００９】
このようなオブラート包装食品は、前記上側シートおよび下側シートのそれぞれが、複数の積層シートからなるのが好ましい（請求項２）。
【００１０】
また前記上側シートおよび下側シートの少なくとも一方が、積層シートの側縁部を予め接合しているのが好ましい（請求項３）。
【００１１】
さらに最外層のシートに、味やにおいが付けられているのが好ましい（請求項４）。
【００１２】
上述のオブラート包装食品の製造方法は（請求項５）、前記上側シートおよび下側シートとされる前の、それぞれ上下のオブラートのシートを用意し、それら上下のオブラートのシートの間に前記粉末を挟む第１工程と、前記上下のオブラートのシートの前記側縁部となるべき部位を、上下の型により狭圧する第２工程と、上下の型からはみ出しているリング状の余分なシートに水分を含ませる第３工程と、前記余分なシートを除去する第４工程と、前記側縁部となるべき部位を乾燥させる第５工程とを備えていることを特徴としている。
【００１３】
このようなオブラート包装食品の製造方法は、前記第４工程および第５工程が、エアブローにより乾燥を行うと共に、そのエアブローにより余分なシートを吹き飛ばすものであるのが好ましい（請求項６）。
【発明の効果】
【００１４】
本発明のオブラート包装食品（請求項１）は、粉末を包み込むシートがオブラートであるので、口の中に入れた時に粉末の味を直接味わうことがなく、異物を入れたような触感を和らげることができ、かつ、余分なオブラートの部位がない。このため飲み込みやすい。
またオブラートの上側シートおよび下側シートで粉末が包み込まれ、前記上側シートおよび下側シートのそれぞれの側縁部が接合により閉じられているので、保管が容易である。
【００１５】
このようなオブラート包装食品において、前記上側シートおよび下側シートのそれぞれが、複数枚の積層シートとからなる場合は（請求項２）、オブラートが溶融し、中の粉末がこぼれるまでの時間を稼ぐことができ、食物や薬剤を胃や腸まで確実に届けることができる。
また枚数を選択することにより、届け先をある程度選択することができる。
さらに口の中や食道内でシートがくっついても、最外層のシートが破れるので、内層のシート内に包まれた食品が口内や食道でこぼれにくく、食物や薬剤を胃や腸までさらに確実に届けることができる。
また唾液が最内層のシートまですぐに伝わらないので、最内層の内部に食品を抱持させた上で、外側の層が唾液等で溶けて、全体として飲み込みやすい形状になる。
【００１６】
また前記上側シートおよび下側シートの少なくとも一方が、それらシートを形成する各層の側縁部を予め溶融して一体に形成されている場合は（請求項３）、予め複数枚を重ねた上側シートおよび下側シートであるので、粉末を包み込む作業が容易になる。
【００１７】
さらに最外層のシートが、味やにおいが付けられているシートである場合は（請求項４）、子供が飲みやすい。また外側の層を変更することで味やにおいを変えることができる
。
【００１８】
上述のオブラート包装食品の製造方法は（請求項５）、前記上下の型の外側の、それら上下の型からはみ出しているリング状の余分なシートに水分を含ませ、その余分なシートを除去すると共に、側縁部となるべき部位に水分を浸透させ、次に続く乾燥工程で、前記側縁部となるべき部位を接合し、一体にしている。このため、上側シートおよび下側シートの外形を整える工程と、その側縁部の接合を行う工程とを一連の工程で行うことができるので、製造が容易である。例えば、上側シートおよび下側シートを型で抜き、その型で抜いた上側シートおよび下側シートを重ねるといった手間を解消できる。
【００１９】
このようなオブラート包装食品の製造方法が、前記第４工程および第５工程が、エアブローにより余分なシートを吹き飛ばすと共に、エアブローにより乾燥を行うものである場合は（請求項６）、さらに製造が容易である。
【図面の簡単な説明】
【００２０】
【図１】図１ａは本発明のオブラート包装食品の一部切欠き上面図、図１ｂは図１ａのＩ−Ｉ線断面図である。
【図２】図２ａはオブラート包装食品の他の実施形態の断面図。図２ｂはオブラート包装食品のさらに他の実施形態を示す断面図、図２ｃはオブラート包装食品の他の実施形態を示す断面図である。
【図３】図３は複層のオブラート包装食品の実施形態の断面図を示す。
【図４】図４ａは複層のオブラート包装食品の他の実施形態の断面図、図４ｂは複層のオブラート包装食品のさらに他の実施形態を示す断面図、図４ｃは複層のオブラート包装食品の他の実施形態を示す断面図である。
【図５】図５は複層のオブラート包装食品の他の実施形態を示す分解断面図。
【図６】図６はオブラート包装食品の製造方法の概略工程図である。
【図７】図７ａは包装紙付きの食品の正面図、図７ｂは図７ａのＩ−Ｉ線断面図である。
【図８】図８は包装紙を折り畳む工程を示す工程図である。
【発明を実施するための形態】
【００２１】
図１ａを用いて本発明のオブラートで包装された食品１を説明する。図１ａに示すオブラート包装食品１は、粉末状の食物や薬剤と、その粉末２を包み込むシート３とからなる。そのシート３は下側シート４および上側シート５とを備えている。
【００２２】
前記粉末２とは、予め粉末状に形成されているものや、錠剤状や塊状のものを粉砕して粉末状にしたものである。
また粉末２としては、サプリメント、あるいは嫌な臭いや味のする食品や薬剤などが挙げられる。前記サプリメントとしては、例えばコンドロイチン硫酸ナトリウム（例えば鮭の骨由来のコンドロイチンを含む成分）を粉末状にしたものなどである。
【００２３】
前記シート３は、オブラートであり、デンプンから作られる水に溶けやすい半透明の薄い膜として知られている、従来公知のものである。本実施形態では、前記下側シート４と上側シート５は、ほぼ同じである。
前記下側シート４および上側シート５の平面形状は、円形、四角形、あるいは四角形以上の頂点を有する多角形、あるいは、ハート形状など種々の形状を取り得る。
これら下側シート４および上側シート５の少なくとも一方に味やにおいを付けて飲みやすくしてもよい。
【００２４】
前記下側シート４および上側シート５はそれぞれの側縁部６、７が接合され閉じられて
いる。本実施形態では１枚の下側シート４と１枚の上側シート５とを貼り合わせている。
【００２５】
前記側縁部６、７のそれぞれの接合面は、側縁部の全体あるいは表面を水により湿らせたり、軟らかくしたり、溶かしたりした上で（以下、軟らかく等）、それら面同士を向かい合わせにし、圧着され、閉じられている。また水分を用いる他、熱により軟らかく等させて接合させてもよい。また上下どちらか一方のシートを軟らかく等させ、他方のシートに圧着させ、接合させてもよい。
【００２６】
図１に示すように、前記オブラート包装食品１は、全体として円盤状の形状であり、中央部が厚くされ、半径方向の外側に向けて次第に薄くされ、滑らかに側縁部６、７まで連続している。その全体形状の直径あるいは中央の厚みは人が飲み込める程度の大きさである。
【００２７】
図２ａには図１のオブラート包装食品１の他の実施形態を示す。そのオブラート包装食品１１は、前記包み込むための粉末２が少量のとき、すなわち少量であっても苦みや臭いが強いもののときは、下側シート４の上に粉末２を薄く敷いて、その上方に上側シート５を重ねるようにして粉末２を包み込み、薄いシート状に形成される。薄いシート状であるので、それらを複数枚重ねてもポケットやカバンの中で嵩張らない。このため持ち運びが容易である。
【００２８】
また図２ｂにはオブラート包装食品１のさらに他の実施形態を示す。そのオブラート包装食品１２は、上側シート４および上側シート５の中央部に上下方向の外向き（図１ｂの上下方向）に椀状に形付けして椀状部９、１０を形成している。それら椀状部９、１０は、例えば椀状の型に押し当て、熱を加えて型付けすることにより形成される。その椀状部９、１０の内部に、前記粉末２が包み込まれる。このようにすると、粉末２を多量に包み込むことができる。
【００２９】
さらに図２ｃにはオブラート包装食品１の他の実施形態を示す。そのオブラート包装食品１３は、下側シート４に椀状部９を設け、その椀状部９に粉末２を収納し、その上方から椀状部１０を設けていない平坦な上側シート５で閉じて粉末２を包み込むものである。このようにすると、上側シート５を上方から蓋をするように載置するだけでよいので、粉末２を包むのが容易である。
【００３０】
また舌の上に載せる側のシートを予め肉厚にすると、口の中にシートが貼り付いてシートが破れるのを防止できる。
【００３１】
このようにオブラート包装食品１、１１、１２、１３は、粉末２を包み込むシートがオブラートであるので、口の中に入れた時に粉末２の味を直接味わうことがなく、異物を入れたような触感を和らげることができ、かつ、余分なオブラートの部位がない。このため飲み込みやすい。
またオブラートの上側シート５および下側シート４で粉末２が包み込まれ、前記上側シート５および下側シート４のそれぞれの側縁部７、６が接合により閉じられているので、保管が容易である。
またオブラートは、デンプンから形成されているので、胃腸にやさしい。
【００３２】
図３にはオブラート包装食品１の他の実施形態を示す。このオブラート包装食品１４は、上側シート５および下側シート４を備えており、それら上側シート５および下側シート４が複数枚の積層シートから構成されている。前記下側シート４は、粉末２を包み込む最内層を形成するシート４ａ（以下、単に最内層という）と、その最内層４ａを包み込む１枚以上の中間層を形成するシート４ｂ（以下、中間層）と、その中間層４ｂを包み込む最
外層を形成するシート４ｃ（以下、最外層）とからなる。図では最内層４ａ、中間層４ｂ、最外層４ｃは各１枚である。また上側シート５は、下側シート４と同様に上側の最内層５ａ、上側の中間層５ｂおよび上側の最外層５ｃとからなる。
【００３３】
図３ａのオブラート包装食品１４では前記中間層４ｂ、５ｂの枚数はそれぞれ１枚であるが、その枚数は２枚以上でもよい。このオブラート包装食品１４では、最内層４ａ、５ａ、中間層４ｂ、５ｂ、最外層４ｃ、５ｃは全てほぼ同じ形状にされており、その平面形状としては、円形、四角形あるいはハート形状など種々の形状を取り得る。
また中間層４ａ、５ａがなく、最内層４ａ、５ａと最外層４ｃ、５ｃの二枚でもよい。
【００３４】
図３のオブラート包装食品１４は、図１ｂのオブラート包装食品１と同じ外形をしており、すなわち円盤状の形状である。またその寸法も図１ｂのオブラート包装食品１とほぼ同じである。
【００３５】
図３のオブラート包装食品１４は、前記中間層４ｂ、５ｂおよび最外層４ｃ、５ｃを有することにより、すなわち多層であるので、最内層４ａ、５ａが溶けて中の粉末２が体内にこぼれるまで時間を稼ぐことができる。このため前記粉末２（食物や薬剤）を胃や腸まで確実に届けることができる。
また中間層４ｂ、５ｂの枚数を選択することにより、届け先をある程度選択することができる。
さらに前記中間層４ｂ、５ｂおよび最外層４ｃ、５ｃは、それぞれの側縁部６、７で接合されているが、その他の部位では接合されていない。すなわち密着していないので、口の中や食道内に外側のシートがくっついても、外側のシートが破れるので、破れたシートより内側のシートは破れにくい。このため粉末２が口内や食道でこぼれにくく、食物や薬剤を胃や腸までさらに確実に届けることができる。
また多層であるので、口の中に入れた時に、外側の層４ｂ、４ｃ、５ｂ、５ｃの全てあるいは一部が唾液等で溶けて角が取れ、例えば全体として丸みを帯びた形状になりやすい。このため最内層４ａ、５ａの内部に粉末２を抱持させた上で、全体として飲み込みやすい形状となり、ツルッと飲み込みやすい。
【００３６】
図４ａに複層のオブラート包装食品の他の実施形態を示す。そのオブラート包装食品１５は、図２ａのオブラート包装食品１１と同様に、包み込むための粉末２が少量のときは、下側の最内層４ａの上に粉末２を薄く敷いて、その上方に上側の最内層５ａを重ねるようにして粉末２を包み込み、その上から中間層４ｂ、５ｂ、最外層４ｃ、５ｃを順次重ね、薄いシート状のオブラート包装食品１５とすることができる。薄いシート状であるので、それらを複数枚重ねてもポケットやカバンの中で嵩張らない。このため持ち運びが容易である。
【００３７】
また図４ｂに図３のオブラート包装食品のさらに他の実施形態を示す。そのオブラート包装食品１６は、上側シート４および上側シート５の中央部に上下方向の外向きに椀状に形付けして椀状部９、１０を形成したものである。このときの各層のシートは、同じ形状の椀状に形付けされている。なお外側の層を内側の層より大きな椀状に形付けしてもよい。
【００３８】
また図４ｃに複層のオブラート包装食品の他の実施形態を示す。そのオブラート包装食品１７は、下側シート４のみに椀状部９を設け、その椀状部９に粉末２を収納し、その上方から椀状部を設けていない平坦な上側シート５で閉じて粉末２を包み込んでいる。
【００３９】
前述のオブラート包装食品１４、１５、１６、１７（それぞれ図３、図４ａ、図４ｂ、図４ｃ参照）において、舌に載せる側のシートを予め肉厚あるいは複数枚にすると、口の
中にシートが貼り付いた際にシートが破れるのを防止できる。
【００４０】
図５に複層のオブラート包装食品の他の実施形態を示す分解断面図を示す。図５のオブラート包装食品１８は、オブラート包装食品１４、１５、１６（それぞれ図３ａ、図３ｂ、図３ｃ参照）において、前記上側シート５および下側シート４の少なくとも一方が、それらシートを形成する各層の側縁部６、７同士を予め一体に形成している。予め複数枚を重ねた上側シート５および下側シート４であるので、食品の包み込みの作業が容易になる。
【００４１】
さらに最外層４ｃ、５ｃに味やにおいが付けられていると、オブラート包装食品１４、１５、１６、１７、１８を子供が飲みやすい。また最外層４ｃ、５ｃを変更することで、オブラート包装食品１４、１５、１６、１７、１８の味やにおいを変えることができる。
【００４２】
次に図６を用いてオブラート包装食品の製造方法を説明する。図６に示す製造方法２０は、上述したオブラート包装食品１、１１、１２、１３、１４、１５、１６、１７の製造方法である。その製造方法は、まず前記上側シート５および下側シート４とされる前の、それぞれ上下のオブラートのシート２１、２２を用意し、それら上下のオブラートのシートの間に前記粉末２を挟む第１工程Ｓ１を行う。そしてその第１工程Ｓ１に続き、前記上下のオブラートのシート２１、２２の前記側縁部６、７となるべき部位２１ａ、２２ａを、上下の型２３、２４により狭圧する第２工程Ｓ２を行う。次いで前記上下の型２３、２４の外側の、それら上下の型２３、２４からはみ出しているリング状の余分なシート２１ｂ、２２ｂに水分２５を含ませる第３工程Ｓ３を行う。さらに前記余分なシート２１ａ、２２ｂを除去する第４工程Ｓ４を行う。最後に、前記側縁部となるべき部位２１ａ、２２ａを乾燥させる第４工程Ｓ５を行う。
【００４３】
前記第１工程Ｓ１において、前記上下のオブラートシート２１、２２は、上側シート５、下側シート４の形状より大きな形状をしている。図ではそれぞれ上側シート５、下側シート４を各１個を形成できる程度の大きさであるが、複数個の上側シート５および下側シート４を形成できる程度の大きさにすることもできる。また前記上下のオブラートシート２１、２２は別体であるが、１枚の大きなシートを折り重ねて、上下に重なるシートのそれぞれを上下のオブラートシート２１、２２とすることもできる。
本実施形態では、下型２４に下のオブラートシート２２を配置し、その上に粉末２を盛り、さらにその上方から上のオブラートシート２１を重ねている。なお上下のオブラートシート２１、２２に粉末２を挟んだものを予め用意してもよい。
【００４４】
前記第２工程Ｓ２において、前記上下の型２３、２４はそれぞれ内部に凹部２３ａ、２４ａが形成され、筒状部２３ｂ、２４ｂを有する有底筒状にされている。それら筒状部２３ｂ、２４ｂの先端で前記側縁部となるべき部位２１ａ、２２ａを上下方向から挟圧している。図では上型２３の筒状部２３ｂの先端は下向きに凸に湾曲した断面形状とされ、下型の筒状部２４ｂは平坦にされている。また図示していないが、両方の筒状部２３ｂ、２４ｂの先端を前述したような湾曲形状にしたり、両方とも平坦にしてもよい。
また前記上下の型２３、２４の材質は、シリコーン樹脂、ポリエステル、ポリエチレンなどの合成樹脂の他に、スレンレスや錆を防止するように前述の合成樹脂が被覆された金属などが用いられる。また前記筒状部２３ｂ、２４ｂと、その他の部位とで材質を異にしてもよい。
【００４５】
前記第３工程Ｓ３において、前記水分２６としては、純水を用いるのが好ましいが、煮沸した水道水でもよい。図では上下の型２３、２４ごと、すなわち内部の上下のオブラートシート２１、２２と、それらシートの間に粉末２を挟んだまま、上下の型２３、２４を前記水分２６に浸し、余分なシート２１ｂ、２２ｂに水分２６を含ませている。上下のオ
ブラートシート２１、２２は、上下の型２３、２４の筒状部２３ｂ、２４ｂの先端で狭圧されているので、水分２６に浸しても、すぐには凹部２３ａ、２４ａ内に水分２６が入ってこない。しかし、この時に水分２６は側縁部となるべき部位２１ａ、２１ｂに浸透している。この水分２６の浸透により、前記側縁部となるべき部位２１ａ、２１ｂに水分が含ませられ、すなわち前記軟らかく等なる。
なお水分２６を含ませる方法として、上下の型２３、２４の外側から散水したり、蒸気やミストを吹きかけてもよい。
【００４６】
前記第４工程Ｓ４において、ブラシやローラ２５を上下の型２３、２４の外周に当てて、で余分なシート２１ａ、２２ｂが除去される。その他、前記第３工程Ｓ３において、蒸気やミストを吹きかける際に、その吹き付けの圧力で余分なシート２１ｂ、２２ｂを吹き飛ばしてもよい。
【００４７】
このように上側シート５および下側シート４の外形を整える工程と、その側縁部６、７の接合を行う工程とを一連の工程で行うことができるので、製造が容易である。例えば、上側シートおよび下側シートを型で抜き、その型で抜いた上側シートおよび下側シートを重ねるといった手間を解消できる。ただしそのような方法で製造することもできる。
【００４８】
前記第５工程Ｓ５において、前記側縁部となるべき部位２１ａ、２１ｂに浸透した水分を乾燥させ、接合する。またエアブローにより乾燥を行い、その空気により余分なシート２１ａ、２２ｂを吹き飛ばすと、さらに製造が容易になる。
【００４９】
また図５のオブラート包装食品１８の側縁部６、７が予め接合された上側シート５および下側シート４は、図６の製造方法とほぼ同様な方法で製造することができる。例えばと各層を重ねた下側シート４のみを、上下の型２３、２４で挟み、余分なシート２１ａ、２２ａに水分を含ませた上で、取り除き、乾燥することにより得られる。
【００５０】
図７は本発明のオブラート包装食品１、１１〜１８が包装紙３１に収納された、包装紙付きの食品３０を示している。その包装紙付き食品３０の包装紙３１（図８の工程Ａ６参照）は、一枚の大きな紙片３２（図８の工程Ｒ１参照）を折り畳むことにより、その内部にオブラート包装食品１を挟み込んで収納し、その収納部の開口を摘み片３４ａで閉じるものである（図７ｂ参照）。
また前記包装紙３１としては従来公知の薬包紙、グラシン紙である。
【００５１】
前記紙片３２は、正三角形状（図７の工程Ａ１では逆正三角形）であり、その紙片３２の上端の右方からは第１山折り線３４ａを介して第１三角片３４が連続している。その第１三角片３４の上方からは摘み片３４ｂが延びている。また第１三角片３４の中央付近で、第１山折り線３４ａの上方には、その第１山折り線３４ａと平行に第１谷折り線３４ｃが設けられている。また前記紙片３２は、その中央付近に、正三角形状になるように第２山折り線３５ａ、第３山折り線３６ａ、第４山折り線３７ａが形成されており、それら山折り線で囲まれた部位が中央部３３である。その中央部３３から、第２山折り線３５ａを介して左方に連続しているのが第２三角片３５であり、第３山折り線３６ａを介して右方に連続しているのが第３三角片３６であり、第４山折り線３７ａを介して下方に連続しているのが第４三角片３７である。前記第２三角片３５、第３三角片３６および第４三角片３７、そして中央部３３は、同じ大きさの正三角形である。
【００５２】
図８を用いて前記紙片３３の折り畳み方を説明する。工程Ｒ１には紙片３３が用意されている。
【００５３】
前記第１三角片３４を中央部３３に重ねるように第１山折り線３４ａ（点線）で山折り
する（工程Ｒ１の矢印Ａ参照）。次いで、その第１三角片３４を第１谷折り線３４ｃで谷折りし、摘み片３４ｂの上部を紙片３３の上端から突出させる（工程Ｒ２の矢印Ｂ参照）。
【００５４】
次に第２工程Ｒ２では、第２三角片３５を中央部３３に重ねるように、第２山折り線３５ａで山折りする（工程Ｒ２の矢印Ｃ参照）。そして第３工程Ｒ３に示すように、重ねられた前記第２三角片３５、中央部３３と、第４三角片３７を第３三角片３６に重ねるように、第３山折り線３６ａで山折りする（工程Ｒ３の矢印Ｄ参照）。
【００５５】
次いで第４工程Ｒ４に示すように、第４三角片３７を第４山折り線３７ａで山折りし、摘み片３４ｂと、第１三角片３４の間に差し込む（図７ｂ参照）。
【００５６】
このようにして包装紙３１が形成される（第５工程Ｒ５）。この包装紙３１にオブラート包装食品１、１１〜１８を収納した包装紙付きの食品３０は、オブラート包装食品１、１１〜１８が手の水分や油などで、軟らかく等なって、形が崩れるのを防止でき、持ち運びや保管を容易にする。また包装紙３１に包まれているので衛生である。
【符号の説明】
【００５７】
１  オブラート包装食品
２  粉末
３  シート
４  下側シート
４ａ  最内層を形成するシート（最内層）
４ｂ  中間層を形成するシート（中間層）
４ｃ  最外層を形成するシート（最外層）
５  上側シート
５ａ  最内層を形成するシート（最内層）
５ｂ  中間層を形成するシート（中間層）
５ｃ  最外層を形成するシート（最外層）
６  側縁部（下側シート）
７  側縁部（上側シート）
９  椀状部（下側シート）
１０  椀状部（上側シート）
１１  オブラート包装食品
１２  オブラート包装食品
１３  オブラート包装食品
１４  オブラート包装食品
１５  オブラート包装食品
１６  オブラート包装食品
１７  オブラート包装食品
１８  オブラート包装食品
２０  製造方法
２１  上のオブラートシート
２１ａ  側縁部となるべき部位
２１ｂ  余分な部位
２２  下のオブラートシート
２２ａ  側縁部となるべき部位
２２ｂ  余分な部位
２３  上型
２３ａ  筒状部
２４  下型
２４ａ  筒状部
２５  水分
２６  ローラ
３０  包装紙付きの食品
３１  包装紙
３２  紙片
３３  中央部
３４  第１三角片
３４ａ  第１山折り線
３４ｂ  摘み片
３４ｃ  第１谷折り線
３５  第２三角片
３５ａ  山折り線
３６  第３三角片
３６ａ  第３山折り線
３７  第４三角片
３７ａ  第４山折り線
Ｓ１  第１工程
Ｓ２  第２工程
Ｓ３  第３工程
Ｓ４  第４工程
Ｓ５  第５工程
Ｒ１  第１工程
Ｒ２  第２工程
Ｒ３  第３工程
Ｒ４  第４工程
Ｒ５  第５工程
【図１】
2014046030.tif 000003
【図２】
2014046030.tif 000004
【図３】
2014046030.tif 000005
【図４】
2014046030.tif 000006
【図５】
2014046030.tif 000007
【図６】
2014046030.tif 000008
【図７】
2014046030.tif 000009
【図８】
2014046030.tif 000010